(57)【要約】【解決手段】再加圧する飲料用ディスペンサー10が炭酸飲料用容器Bのネジが形成された首具Nに着脱自在に取り付けられるもので、ハンドル部14とヘッド部16とを有する主体12を含む。ヘッド部上の枢動式弁蛇口50が閉鎖位置と開放位置との間で移動可能となり、弾性の皿状弁座部62と整合してシール係合する球状体部52を含む。弁蛇口が開放位置に動くと、弁蛇口の貫通穴がキャップ30の中央開口部38と整合するまで、球状体部が回転する。ハンドル部に嵌合した手動式圧搾球状体ポンプ62が、弁蛇口が閉鎖位置にあるとき、空気を、放出開口部を通して配送し、容器内部を加圧し、炭酸飲料が保存される。ハンドル部は、圧搾球状体の不所望の動き、飲料用容器への空気流の遮断を防止するように、圧搾球状体を保持する構成となる。
2005510429.tif 000002
【特許請求の範囲】
【請求項１】
放出開口部を取り囲む、ネジが形成された首部を有するタイプの飲料用容器に、炭酸飲料を含む内部チェンバーと連通するように、着脱自在に取り付けられる装置であって、
ハンドル部とヘッド部を有する主体と、
飲料用容器のネジが形成された首部とネジ式に係合するための、前記ヘッド部内に設けられたネジ部と、
加圧された空気を前記飲料用容器の内部に導入する、前記ハンドル部にある手動式ポンプ手段と、
該手動式ポンプ手段から前記飲料用容器の内部へと空気流を向けるための、前記手動式ポンプ手段に連結された空気配送手段と、
前記ヘッド上にある弁蛇口であって、前記飲料用容器の内部に飲料と加圧された空気を保持する閉鎖シール位置と、前記飲料を、放出開口部を通り当該蛇口から放出できる開放位置との間で動作するとこころの弁蛇口と、
該弁蛇口が前記閉鎖シール位置にあるとき、充填された加圧空気と飲料とを飲料用容器の内部チェンバー内に維持するために、飲料用容器の放出開口部と、当該装置との間で気密シールを形成するためのシール手段と、
を有し、
前記手動式ポンプ手段は、
圧縮可能な内部空気チェンバーを取り囲み、通常は膨出状態と圧縮状態との間で動作可能な主体、
第一の端部、
第二の端部、
前記主体を前記圧縮状態から前記膨出状態に戻すときに、空気を前記内部空気チェンターに吸い込むための、前記第一の端部にある一方向吸気弁手段、
前記主体が膨出状態から圧縮状態に圧縮されるときに、前記内部空気チェンバーから前記空気配送手段へと、空気を外へと向けるために、前記第二の端部にある一方向排気弁手段、
を含む圧搾球状体、および
前記圧搾球状体を前記ハンドル部に留め付け、前記膨出状態と前記圧縮状態との間で前記圧搾球状体を動作させるとき、空気配送手段による空気流の妨げとならならように、前記ハンドル部に対して固定した位置で前記第二の端部を保持する手段を含む結合手段、
を有することを特徴とする装置。
【請求項２】
前記結合手段が、前記通常の膨出状態と前記圧縮状態と間で手動式ポンプ手段を動作するときに、前記ハンドル部に対する前記圧搾球状体の回転を防止するために、前記圧搾球状体の前記第二の端部を前記ハンドル部に嵌合させる手段を含む、請求項１に記載の装置。
【請求項３】
前記第二の端部の嵌合が、前記圧搾球状体の前記第二の端部の多面体形状と、前記ハンドル部に対応して切り欠きされた開口部とで画成される、請求項２に記載の装置。
【請求項４】
前記シール手段が、上方部、下方部、飲料用容器の放出開口部と連通する開口部、および前記上方部上にあり、前記弁蛇口と整合する弁座部を画成する皿状の凹部を含む、柔軟な弾性シール部材を有する、請求項１に記載の装置。
【請求項５】
前記シール手段が、前記上方部と前記下方部との間で、前記弾性シール部材に整合する剛直なリング部材をさらに有し、前記剛直なリング部材は、前記空気配送手段から前記飲料用容器の内部チェンバーへの空気流を可能にするための、前記空気配送手段と、空気が流れるように連結する連結手段を含む、請求項４に記載の装置。
【請求項６】
前記剛直なリング部材は、前記皿状の凹部と前記弁蛇口とのシール係合が維持されるように、前記開放位置と閉鎖シール位置との間で前記弁蛇口を動作させるときに、前記柔軟なシール部材が潰れ、変形することを防止するために、前記柔軟な弾性シール部材と一体構造となる、請求項５に記載の装置。
【請求項７】
前記シール手段がさらに、前記主体の前記ヘッド部に嵌合し、飲料用容器のネジが形成された首部に、ねじるように係合して取り付けられる、内ネジを有するキャップを含み、該キャップは、飲料容器の放出開口部と整合するように構成され、位置する中央開口部、および該中央開口部を取り囲む環状の頂部表面を有し、該環状の頂部表面は前記柔軟な弾性シール部材の前記下方部と密着して係合するように構成され、位置する、請求項６に記載の装置。
【請求項８】
ポンプハンドル装置であって、
剛直なハンドル部と、
該ハンドル部に嵌合し、圧搾球状体を含む手動ポンプ手段と、
圧縮可能な内部空気チェンバーを取り囲み、通常の膨出状態と圧縮状態との間で動作する手段と、
第一の端部と、
第二の端部と、
前記主体が前記圧縮状態から前記膨出状態に戻るときに、空気を前記内部空気チェンバーに吸い込む、前記第一の端部にある一方向吸気弁手段と、
前記手段が前記膨出状態から前記圧縮状態に戻るときに、空気を、前記内部空気チェンバーから外に、そして前記空気配送手段へと向けるための、前記第二の端部にある一方向排気弁手段と、
前記圧搾球状体を前記ハンドル部に留め付ける手段であって、前記ハンドル部に対して固定した位置で前記第二の端部を保持する手段を含み、さらに前記圧搾球状体の第一の端部を前記ハンドル部に保持するための手段を含む、ところの留め付け手段と、
を含む装置。
【請求項９】
前記結合手段が、前記一方向排気弁手段からの空気流の妨げとならないように、構成され、位置する、請求項８に記載の装置。
【請求項１０】
さらに、前記ポンプ手段から別のチェンバーに空気流を向けるための、前記ポンプ手段に連結された配送手段を含む、請求項９に記載の装置。
【請求項１１】
前記連結手段が、前記空気配送手段を通る空気流の妨げとならないように、構成され、位置する請求項１０に記載の装置。
【請求項１２】
前記空気配送手段が柔軟な空気ホースからなる、請求項１１に記載の装置。
【請求項１３】
前記結合手段が、前記柔軟な空気ホースのひねり、よじれを防止するように構成され、位置する、請求項１２に記載の装置。
【発明の詳細な説明】
【技術分野】
【０００１】
本発明は、飲料用容器のための再加圧装置に関し、特に、従前の炭酸飲料用の容器のネジが形成された首部に取り付けられる再加圧ディスペンサー装置（ハンドル、弁蛇口、手動ポンプを含む）に関する。
【背景技術】
【０００２】
多くの飲料水、特にソフトドリンクは、飲料水を消費するときに爽快感を与える新鮮な発泡を提供するために、炭酸ガスを溶け込ませている。しばしば、炭酸飲料水は、消費者には、オンス当たりのコストを下げるために、２ないし３リットルの飲料用容器で販売されている。このような大型の飲料用容器は、最初に栓を開けた後に、飲料を完全に消費しない場合、再度栓をして保存することができるので、缶に比べてより経済的で便利なものであると多くの人は分かっている。
【０００３】
しかし、大型の炭酸飲料用の容器は使用者にとって多くの問題点をもつ。特に、炭酸ガスは、飲料が加圧下で保存されていないと大気中に逃げる傾向をもつことが知られている。半分に減少した後に栓がなされた飲料容器には内部に大きなシールされた空間があり、飲料水内のガスは、容器に栓がしっかりとされていても、この大きな空間へと逃げる傾向がある。栓が外されると、この空間のガスが大気へと放出される。炭酸ガスが炭酸飲料から逃げると、良好な発泡がなくなり、交換もできない。このことが起こると、炭酸飲料は変化がなくなって、また望ましくない味となり、新鮮にみえなくなる。この場合、炭酸飲料は廃棄され、そのため消費者にとってオンス当たりのコストが高くなる。このことは、オンス当たり低コストとなるように大きな容積となる容器に入った炭酸飲料を購入する目的を失わせる。
【０００４】
炭酸飲料用容器内の空間を大気で再加圧するためのポンプ装置が提案された。また、飲料用容器の首部に装着するために、封止キャップと再加圧ポンプとの組み合わせが知られている。コルクの栓をしたボトルのためのボトル栓が特許文献１（発明者Sherrard）に開示されている。空気圧は、液体を放出させ易いように形成されている。液体を分配するための装置が特許文献２（発明者Yingst）に開示されている。Sherrardの発明もYingstの発明も、ボトルに挿入された細い管によりボトルから液体を分配する機能をもつ。Sherrardの発明の装置にしても、Yingstの発明の装置にしても、二リットルの炭酸飲料用ボトルに適合するようになっていない。
【０００５】
シリンダーとピストンを使用する手動ポンプが特許文献３（発明者Ballas）に開示されている。Ballasのポンプはネジが形成されたボトルの首部に取り付け可能なものである。同様に、ネジが形成されたボトルの首部に取り付け可能で、シリンダーとピストンとを使用する手動のポンプが特許文献４（発明者Robinson）に開示されている。Ballasの発明もRobinsonの発明も、ボトルの中身をグラスまたは他の容器に注ぐ前に、ボトルから装置を取り除く必要がある。さらに、Robinsonのピストンポンプの大きさは小さく、飲料のボトルを十分に加圧するために、使用者はくみ出し操作をなんども繰り返す必要がある。
【特許文献３】米国特許第4768665号明細書
【特許文献４】米国特許第4723670号明細書
【０００６】
特許文献５に開示されたような本発明者の従来発明は、上記の欠点も含め、従来の装置の多くの欠点を含む、本発明者の従来発明の使用により生ずるであろう問題を解消する改良がなされた。特に圧搾球状体（bulb）の上端は、ハンドルに対して圧搾球状体が回転しないように、刻みのあるハンドルのカットアウトに適合する複数の表面をもつように、特に構成され形状付けられた。圧搾球状体のハンドルに対する回転運動は、ボトルの内部に空気を送り込む柔軟なホースのねじれやよじれを生じさせるために望ましくない。本発明は、弁蛇口の球状体部と弁座部との間の気密性の改良を与える。したがって、本発明は、先の本発明者の発明の構成および機能を改良するものである。
【特許文献１】米国特許第718163号明細書
【特許文献２】米国特許第28853207号明細書
【発明の開示】
【発明が解決しようとする課題】
【０００７】
本発明の主目的は、飲料用ボトル容器に着脱自在となり、ポンプ、ハンドルおよび弁（最小限の労力で、迅速かつ効率的に飲料用ボトル容器の分配、シールおよび再加圧を行えるように構成されている）を含む改良再加圧装置および飲料ディスペンサーを提供することである。
【０００８】
本発明の他の目的は、飲料用ボトル容器の、ネジが形成された首部に着脱自在な再加圧飲料のディスペンサーを提供することで、ここでディスペンサーは、ネジが形成されたボトル容器の首部にディスペンサーを締め付けるために、ボトル容器を回転させたときに、シールを形成し、空気圧の開放に抵抗を与えるように構成された半球状体の部材を備えた弁を含む。
【０００９】
本発明の他の目的は、半球状体の部材およびディスペンサーの正面から伸長した組み込み式レバーを有する弁をもつ飲料用ディスペンサーを提供することで、弁は右利きでも左利きでも開閉可能なものである。
【００１０】
さらに、本発明の目的は、弁を作動するための組み込み式レバーを含む上記飲料用ディスペンサーを提供することで、ここでレバーは、ディスペンサーが飲料用ボトル容器に取り付けられたとき、飲料用ボトル容器が倒れないように釣り合いおもりのレバーが飲料用ボトル容器の平衡を保つように、ハンドルの反対側の釣り合いおもりとして機能する。
【００１１】
さらに、本発明の他の目的は、半球状の部材と、液体が確実に、飲料用ボトル容器内から、ディスペンサーを通って急速に流れように、飲料用ボトル容器の放出開口の直径にほぼ等しい直径をもつ貫通路を有する弁を提供することである。
【００１２】
さらに、本発明の他の目的は、ハンドルと、組み込まれた、手動式の球状体空気ポンプを有するディスペンサーを提供することである。
【００１３】
さらに、本発明の他の目的は、球状体を開放したとき、飲料用ボトル容器内の過剰な空気圧のために、ディスペンサーからの空気が噴霧しないように構成された噴霧ガードを含む、上記飲料ディペンサーを提供することである。
【００１４】
さらに、本発明の他の目的は、二リットルの飲料用ボトル容器に取り付けたとき、全体として著しく高くなることがない、ポンプ、ハンドルおよび弁の組み合わせをもつ飲料用ディスペンサーを提供することである。
【００１５】
さらに、本発明の他の目的は、炭酸飲料用ボトル容器用の、再加圧する飲料用ディスペンサー装置を提供することで、ここで、装置は、手動式ポンプ、ハンドル、および飲料用ボトル容器が加圧されるときに、気密を維持する弁およびシール組立体を含み、また装置は、ボトルを加圧するときにポンプから飲料用ボトル容器への空気流の中断を防止する手段を備える。
【００１６】
さらに、本発明の他の目的は、炭酸飲料用ボトル容器に取り付けられる、改良された再加圧する飲料用ディスペンサー装置を提供することで、ここで、装置は飲料用ボトル容器が加圧されるときに、飲料用ボトル容器の内部を気密および液密を維持する、改良された、弁およびシール組立体を含む。
【課題を解決するための手段】
【００１７】
本発明は、炭酸飲料用ボトル容器の、ネジが形成された首部に着脱自在に取り付けられる、再加圧する飲料用ディスペンサー装置に関する。このディスペンサー装置は、一体のハンドル部およびヘッド部を有するように成形された本体を含む。ヘッド部内のシール手段は、ディスペンサー装置と飲料用ボトル容器の放出開口部との間を気密でかつ液密にするもので、キャップおよび弁組立体を有する。キャップは、ヘッド部内に整合し、さらに飲料用ボトル容器の、ネジが形成された首部に取り付け、ねじるように係合するための内側ネジ部を有する。キャップの頂部の貫通中央開口部が飲料用ボトル容器の放出開口部と整合する。弁組立体は、閉鎖位置と開放位置との間で可動なヘッド部上の、枢動式の弁蛇口を含む。弁蛇口の球状体部が、皿状弁座部と整合してシール係合するように位置する。弁座部は好適に、シリコンのようなゴム状弾性部材から作られる。皿状弁座部の開口がキャップの中央開口部および飲料用ボトル容器の放出開口部と整合する。中心蛇口が閉鎖位置にあると、球状体部は、空気と液体とが飲料容器内にあるように、中央開口と放出開口に対して封鎖シール関係となるように位置する。蛇口の開放位置への動きは、弁蛇口を貫通する穴（流路を形成する）がキャップの中央開口部と整合して、容器の飲料内容物が弁蛇口から流出できるようになるまで、弁蛇口に対する球状体部の回転を助ける。
【００１８】
弁蛇口が開放位置から閉鎖シール位置へと回転した後に、容器の空気領域を再加圧する手段が設けられている。再加圧手段は、ハンドル部と整合した手動式の圧搾球状体（bulb）ポンプを含む。圧搾球状体ポンプは、圧縮可能な内部空気チェンバーを取り囲む中央中空体、第一の端部、および第二の端部を有する。圧搾球状体ポンプの第一の端部は一方向空気吸入弁部材と整合し、その一方向空気吸入弁部材は、中央中空体が圧縮状態から開放され、通常の元の形状に戻るとき、圧搾球状体ポンプの圧縮可能な内部チェンバー内に、空気が流れ込む構成をもつ。圧搾球状体ポンプの第二の端部は一方向空気排気弁部材と整合し、この一方向空気排気弁部材は、中空体を圧縮したとき、圧搾球状体ポンプの内部チェンバーから空気を外へと向けるものである。圧搾球状体ポンプにある排気弁部材と、ヘッド部のシール手段との間に柔軟なホースが連結され、飲料用ボトル容器の内部空気領域と流通するようになる。ハンドル部に対して圧搾球状体ポンプが回転しないようにする手段が設けられる。これにより、柔軟なホースがよじれたり、ねじれたりせず、圧搾球状体の内部空気チェンバーと飲料用ボトル容器の内部の空気領域との間での空気流の遮断が防止される。
【００１９】
本発明のディスペンサー装置が飲料容器の首部にねじるように留め付けされると、容器の内部の空気領域が完全に加圧されるまで、ハンドル部で手動式の圧搾球状体ポンプを圧搾しまたは開放することを繰り返すことで、飲料用ボトル容器内部に空気が充填される。完全な加圧状態は、圧搾球状体ポンプの圧縮中に、抵抗が増したときに達成される。弁蛇口の球状体部を弁座部に対して接触係合させることで、飲料容器内に空気圧と液状内容物を保持する気密で液密が達成できる。弁蛇口から伸びる一体レバーにより、弁が閉鎖位置と開放位置との間で移動することが容易になる。弁蛇口が開放位置に移動すると、充填された加圧空気が飲料用ボトル容器から開放される。弁蛇口を開放位置にあるようにして、首部を下方に傾斜させていて、容器を傾けることにより、容器内の炭酸飲料は流出することができ、このことにより、内容物である飲料は、弁蛇口の通路を通り、グラス、その他飲用容器へと流れることができる。
【発明を実施するための最良の形態】
【００２０】
本発明の特徴は、添付図面を参照にした以下の説明により完全に理解されよう。図面において、同様の部材については同じ符号が付されている。
【００２１】
図に示されているように、再加圧するディスペンサー装置が符号10を一般的に付して示されている。装置10は、ソフトドリンク製品のような、炭酸飲料を含むボトル容器Bに取り付けられている。再加圧する飲料用ディスペンサー10は、炭酸飲料ボトル容器の、ネジが形成された首部Nに着脱自在に取り付けられる。装置10は、特に、図１，図２に示され、符号Bが付された二リットル、三リットルの炭酸飲料用ボトル容器に使用するのに適している。このような炭酸飲料のボトル容器は、知られているように、ネジが形成された首部を有し、この首部の頂部はリムで囲まれている。内容物の飲料が中に保存されるように、放出開口部を覆うように、ネジが形成された首部に通常キャップがねじるように取り付けられている。飲料が消費しようとするとき、キャップは外され、炭酸飲料の内容物は、放出開口部からグラスや他の飲用容器に注ぐことができる。
【００２２】
飲料製品が購入されるときに、ボトル容器Bの首部Nに留め付けられる従前のキャップに代えて、本発明の、再加圧する飲料用ディスペンサー装置は、炭酸飲料用ボトル容器の、ネジが形成された首部Nに着脱自在に取り付けられる。装置10は、一体のハンドル部14とヘッド部16を有するように成形された本体12を含む。好適な実施例では、本体12はプラスチック組成物で作られ、二物品構成(一方の半分が符号20で、他方の半分が符号22で示されている)からなるように成形される。二つの半分20，22は図５に示されているように一体的となり、一体のハンドル部14およびヘッド部16、さらに装置の他の部分を形成する。ネジ24が二つの半分20，22を一緒に留め付けるために使用される。ネジは、一方の半分20の形成された貫通穴26を通り、本体12の他方の半分22の境界面にある、対応するネジ穴28にねじ込まれる。
【００２３】
飲料用ボトル容器Bが、購入後、ネジが形成された首部Nから在来のキャップを外すことにより、最初に開封されると、在来のキャップは廃棄され、装置10が、ネジが形成された首部Nに締め付けられる。ヘッド部16内のシール手段が、飲料内容物を中に保持するために、ディスペンサー装置10と飲料のボトル容器Bとの間を気密で、液密にシールする。シール手段はキャップ30と弁組立体48を含む。キャップ30はヘッド部と整合し、さらに放出開口部を取り囲む飲料用ボトル容器の首部の頂部にあるリムと内キャップ30の端面37とが密着するまで、飲料用ボトル容器Bの、ネジが形成された首部Nがねじるように係合するネジ36を含む。キャップ30の頂部を貫通する中央開口部38が飲料用ボトル容器Bの放出開口部と整合する。キャップの頂部には、環状のリング40が中央開口部38を取り囲むように形成され、さらにスロット開口部42を備える。ウイング部材44がキャップの環状カラー34の両側で、ベースフランジ32から上方に伸長している。ウイング部材44は特に、装置10を飲料用ボトル容器Bに確実に留め付けるために、キャップ30が飲料用ボトル容器Bの首部Nにねじるように取り付けられるときに、本体12に対するキャップの回転を防止する構造となっている。
【００２４】
図５に示されているように、キャップ30を含む全弁組立体48が二つの半分20，22の間で、装置10のヘッド部16内に保持されている。
【００２５】
弁組立体48は、ヘッド部に可動に取り付けられる、閉鎖シール位置と開放位置との間で動作する枢動式弁蛇口50を含む。枢動式蛇口50は主に、球状体部52と、球状体部52の上半分から上方に伸長するレバー部54からなる。液体流路55がボール状部52を貫通して伸び、飲料をボトル容器Bから注ぐときにボトル容器B内の飲料が流れでることができる構造となっている。球状体部52の両側にヒンジ出っ張り56が形成され、ヘッド部16の第一および第二の半分20、22上で対応して整合する開口57内に回転自在に収納される。開口57内にヒンジ出っ張り56が収納されると、弁蛇口50が確実にヘッド部16に留め付けられ、選択的に、弁蛇口50は、図１の閉鎖シール位置と、図２の開放位置との間で、枢動することができる。伸長したレバー部54は閉鎖シール位置と開放位置との間の移動を容易にする。ヘッド部16の正面リップ58が、閉鎖シール位置における弁蛇口の下降の動きを制限するストップ部材となる。同様に、ヘッド部16の後端部59が、図２に示されているように、全開位置における弁蛇口の動きを制限するストップ部材となる。
【００２６】
弁組立体48はさらに、ボトル容器B内の飲料を保持し、弁蛇口50が閉鎖位置にあるとき、ボトル容器B内の加圧された状態の空気領域を維持するために、弁蛇口50とキャップ30の中央開口部38との間を気密で液密に維持するためのシール組立体60を含む。シール組立体60は、二つの部材、すなわち柔軟な弾性シール部材62および剛直なリング部材64からなる。好適実施例では、柔軟な弾性部材62は、シリコンのようなエラストマー組成物から形成される。剛直なリング部材64は、キャップ30の組成物と同様の剛性のあるプラスチック組成物から形成されてもよい。柔軟な弾性シール部材62は、上方部66、下方部68および上方部と下方部との間で伸長する、直径が減少した首部70を含む。皿状の凹状環状部72が開口部73を取り囲むように、上方部66上に形成されている。皿状の凹状環状部42は、弁蛇口50の球状体部52と整合する弁座部を形成する。柔軟な弾性シール部材62は装置の組み立ての間、剛直なリング部材64と整合する。特に、シール部材62の下方部68はリング部材64の開口部78を通る。開口部78の内側周囲には頂部リム表面76を有する内側リム74がある。シール部材62がリング部材64に正しく整合していると、シール部材62の下方部68は内側リム74の下に位置し、シール部材の上方部66は内側リム74の上に位置する。内側リム74は、首部70を貫通して形成された開口84が、リング部材64から伸長する中空パイプ80の内側開放端と整合するように、シール部材72の首部70を取り囲む。中空パイプ80は先端に膨出ヘッド82を有する。シール組立体60の組み合ったシール部材62と剛直なリング部材64とは、シール部材62の下方部68の下側がキャップ30の頂面31としっかりと係合するように、キャップ30の頂部上に位置し、このことにより、シール部材60とキャップ30との間が気密でかつ液密となる。シール組立体60とキャップ30が二つの半分20、22の間で、適切に位置し、留め付けられると、スロット開口部42は開口64と中空パイプ80とを整合し、飲料用ボトル容器Bの放出開口部、さらに内側と連通する、キャップ30の中央開口部38と、中空パイプ80の膨出ヘッド82のところの開放端部との間が通気する。
【００２７】
弁組立体48が閉鎖位置にあるとき、飲料用ボトル容器B内の空気領域を加圧するために、飲料の液面と飲料用ボトル容器Bの放出開口部との間で、飲料用ボトル容器Bの内の空気領域に空気を送り込むための空気ポンプ手段90が設けられ、このことにより、液体飲料内の炭酸ガスが維持される。空気ポンプ手段90は、ハンドル部14に取り付けられた手動式圧搾球状体ポンプ92を含む。圧搾球状体ポンプ92は、圧縮可能な内部空気チェンバー、第一の端部94および反対側の第二の端部98を有する。圧搾球状体ポンプの第二の端部は、整合する第一および第二の半分20、22に形成された、形状が一致するノッチ112に嵌る多角形の外側面をもつ。好適な実施例では、第二の端部の多角形外側面は、図４に示されているように、四つの側面99a、99b、99cおよび99dを有する。特に、四つの側面99a−99dにより、第二の端部98がほぼ四角形となるように構成される。
【００２８】
圧搾球状体ポンプ92の第一の端部96には、一方向空気吸気弁部材100が嵌合し、この吸気弁部材は、中央中空体が圧縮状態から開放され、もとの状態に完全に戻るとき、圧搾球状体弁ポンプの圧縮可能な内部チェンバーに空気が流れるような構成をとり、配置される。圧搾球状体ポンプ92の第二の端部98には、中空体を圧搾したとき、圧搾球状体ポンプの内部チェンバーから外側に空気を向ける、一方向空気排気弁部材102が嵌合する。中空の針状のパイプ104は排気弁部材102から伸長し、排気弁部材102と中空のパイプ80との間を伸長する柔軟な空気ホース106の連結を容易にしている。さらに、針状のパイプ104は柔軟なホース106の一端内に挿入されるとともに、中空のパイプの膨出部82はホース106の他端内に挿入され、その結果、柔軟なホース106は排気弁部材102と中空のパイプ80との間を通気させ、このことにより、圧搾球状体ポンプの圧縮可能な内部空気チェンバーと内部空気領域との間で空気の流通ができる。
【００２９】
ハンドル部に形成されたノッチ112内に、圧搾球状体ポンプの第二の端部の多角形形状部を嵌め込むことで、圧搾球状体ポンプを動作させるとき、ハンドル部92に対して圧搾球状体ポンプ92が回転することを防止することができる。特に、圧搾球状体ポンプの中空体を圧縮・開放するとき、圧搾球状体ポンプの第一および第二の端部96、98は装置の主体12に対して静止したものとなる。さらに、第二の端部98をハンドル部14に嵌め込むことにより、圧搾球状体ポンプ92がハンドル部14に対して回転することを防止することができ、このことにより、装置10の使用中に、柔軟なホースがねじれたり、よじれたりすること（このことは、飲料用ボトル容器の内部と圧搾球状体ポンプとの間の空気の流れを邪魔する）が防止される。各半分20、22のハンドル部14に形成されたカラー110は圧搾球状体ポンプ92の第一の端部96を囲んで把持し、そこに第一の端部をしっかりと留め付ける。したがって、圧搾球状体ポンプ92は、ハンドル部14と一体となって保持される。
【００３０】
使用に際しては、本発明のディスペンサー装置10は、飲料用ボトル容器Bの首部Nにねじるように取り付けられる。図１に示されているように、弁蛇口50は閉鎖位置に移動させておいて、ボトル容器B内の空気領域加圧されるまで、ハンドル部14の手動式圧搾球状体ポンプ92の圧縮・開放を繰り返すことにより、ボトル容器Bの内部空気領域に空気が送り込まれる。十分な加圧状態は、圧搾球状体ポンプの圧縮に際して、抵抗が増してきたときに達成される。弁蛇口50のボール状部52を弁座部72に密接係合させていると、気密かつ液密な状態となり、飲料用ボトル容器B内に空気圧と液体飲料の内容物が保持される。弁蛇口が図２に示されているように、レバー部54を握り、弁蛇口を上に約90度回転させることにより、充填された加圧空気はボトル容器Bから放出される。弁蛇口を開放位置に保ったまま、ボトル容器B内の炭酸飲料は、首部を下方に向くように、ボトル容器を傾斜させることで注ぐことができ、したがって、飲料は、弁蛇口50の流路55を通り、グラスまたは他の飲用容器に流れ出る。飲料水を注いだ後、弁蛇口50はボトル容器をシールするために閉鎖され、手動式圧搾球状体ポンプの圧搾と開放が繰り返され、ボトル容器の内部空気領域が加圧される。
【００３１】
図６に、ハンドル部14と空気ポンプ手段90がサイフォンディスペンサー装置10’に組み込まれて本発明の他の実施例が示されている。この実施例では、炭酸飲料用のボトル容器B’の頂部に、ねじるように取り付けるための手段を有する主体12’の一部として一体に、ハンドル体14が取り付けられている。ハンドル部14および空気ポンプ手段90は、図１−図５の実施例に関連して説明ものと同様のものである。特に、空気ポンプ手段90は、ハンドル部14に取り付けられた手動式圧搾球状体ポンプ92を含む。圧搾球状体ポンプ92は、圧縮可能な内部空気チェンバーを取り囲む中央中空体94、第一の端部96および反対側の第二の端部98を有する。第一の端部96には、吸気弁部材100が嵌合し、第二の端部98には、一方向空気排気弁部材102が嵌合し、弁部材100，102は上述したように機能する。中空の針状パイプ104は、排気弁部材102から伸長し、排気弁部材102から伸長し、飲料用ボトル容器B’の中空内部と通気できるように連結された柔軟な空気ホース106との接続を容易にする。ハンドル部14上に形成されてカラー110は、第一の端部をしっかりと留め付けるために、圧搾球状体ポンプ92の第一の端部96を取り囲み、そして保持する。図６には図示されてはいないが、第二の端部96は、図１−図５の実施例に関連した説明と同様に、ハンドル部14に留め付けられ、その結果圧搾球状体ポンプはハンドル部14に対して回転不能となり、このことにより、柔軟なホース106がねじれたり、よじれたりすることが防止される。
【００３２】
図６のサイフォンディスペンサー装置10’を操作するために、圧搾球状体ポンプ92は、圧力をかけて空気を飲料用ボトル容器B’に導入するために、何度か圧縮と、開放が繰り返される。このことにより、飲料用ボトル容器B’の中の底部から、離れてはいるが近接したところ開口部をもつ中空管120を通って、液体を押し上けることができる。飲料水は加圧されて、開放位置にあって動作する弁手段122へと上向きに流れ、放出開口部124から流れ出る。
【００３３】
図７は、さらに、本発明の他の実施例を示すが、ここでは、ハンドル部14および空気ポンプ手段90は水鉄砲内に組み込まれている。ハンドル部14および空気ポンプ手段の構造は、上述した図１−図６の実施例と同様である。この実施例では、ハンドル部14は、水鉄砲200の本体と一体に形成されている。空気ホース10の反対側の端部は、給水キャップ212を外すことにより、水で満たすことのできる。水タンク210と通気できるように連結される。ポンプ92は、圧力がかかった空気を、ホース106を通して水タンク210へと向けるために、圧搾球状体ポンプを圧縮し、開放することにより動作し、このことにより、水タンクは加圧される。放出ホースまたは導管は、水タンク210の底から導管220に伸び、弁部材216により遮断される。弁部材216はトリガー218により動作可能となり、通常は、ホース214から導管220に水が流れないように閉じた状態で配置されている。人差し指や親指でトリガー218を動作すると、弁部材216は開放され、圧力をかけて水を、タンク210からホース214、そして導管220を通って、開放開口部224から流し出す。トリガー218は、使用者の親指で再度起動できるように、図７に示された位置から戻り、このことにより使用者は、ハンドル部14のグリップを持ち続け、圧搾球状体ポンプ92を握り、トリガー218を動作させることができる。
【００３４】
本発明が、その好適な実施例にそって図示され、説明されてきたが、この開示の変形も本発明の範囲内にあり、したがって、本発明の範囲は、特許請求の範囲およびこの均等物以外で限定されるものではない。
【図面の簡単な説明】
【００３５】
【図１】図１は、飲料用ボトル容器の、ネジが形成された首部に取り付けられ、弁蛇口が閉鎖シール位置にある、本発明の再加圧する飲料用ディスペンサー装置の部分拡大側面図である。
【図２】図２は、飲料用ボトル水容器の、ネジが形成された首部に取り付けられ、内容物である飲料水が容器から流出できるように、弁蛇口が開放位置にある、本発明の再加圧する飲料用ディスペンサー装置の部分拡大側面図である。
【図３】図３は、本発明の好適な実施例にしたがった、本発明の再加圧する飲料ディスペンサー装置の部分拡大側面図である。
【図４】図４は、図３の線4−4にそった、装置の圧搾球状体ポンプの端部の平面図である。
【図５】図５は、個々の構成要素を示す、加圧する飲料用ディスペンサー装置の分解斜視図である。
【図６】図６は、ハンドル部および空気ポンプ手段が、炭酸飲料をボトルまたは他の容器から分配するサイフォンディスペンサーの一体ヘッド部内に成形されている、本発明の他の実施例を示す側面図である。
【図７】図７は、ハンドル部および空気ポンプ手段が水鉄砲内に組み込まれている、本発明の他の実施例を示す部分断面拡大図である。
【図１】
2005510429.tif 000003
【図２】
2005510429.tif 000004
【図３】
2005510429.tif 000005
【図４】
2005510429.tif 000006
【図５】
2005510429.tif 000007
【図６】
2005510429.tif 000008
【図７】
2005510429.tif 000009
【手続補正書】
【提出日】平成16年7月30日(2004.7.30)
【手続補正１】
【補正対象書類名】明細書
【補正対象項目名】０００４
【補正方法】変更
【補正の内容】
【０００４】
炭酸飲料用容器内の空間を大気で再加圧するためのポンプ装置が提案された。また、飲料用容器の首部に装着するために、封止キャップと再加圧ポンプとの組み合わせが知られている。コルクの栓をしたボトルのためのボトル栓が特許文献１（発明者Sherrard）に開示されている。空気圧は、液体を放出させ易いように形成されている。液体を分配するための装置が特許文献２（発明者Yingst）に開示されている。Sherrardの発明もYingstの発明も、ボトルに挿入された細い管によりボトルから液体を分配する機能をもつ。Sherrardの発明の装置にしても、Yingstの発明の装置にしても、二リットルの炭酸飲料用ボトルに適合するようになっていない。
【特許文献１】米国特許第718163号明細書
【特許文献２】米国特許第28853207号明細書
【手続補正２】
【補正対象書類名】明細書
【補正対象項目名】０００６
【補正方法】変更
【補正の内容】
【０００６】
特許文献５に開示されたような本発明者の従来発明は、上記の欠点も含め、従来の装置の多くの欠点を含む、本発明者の従来発明の使用により生ずるであろう問題を解消する改良がなされた。特に圧搾球状体（bulb）の上端は、ハンドルに対して圧搾球状体が回転しないように、刻みのあるハンドルのカットアウトに適合する複数の表面をもつように、特に構成され形状付けられた。圧搾球状体のハンドルに対する回転運動は、ボトルの内部に空気を送り込む柔軟なホースのねじれやよじれを生じさせるために望ましくない。本発明は、弁蛇口の球状体部と弁座部との間の気密性の改良を与える。したがって、本発明は、先の本発明者の発明の構成および機能を改良するものである。
【国際調査報告】
2005510429.tif 000010